(57)【要約】【課題】雨具を着用時、ヘッド部が頭、顔に触れず、風雨に耐え、両手が空き、身障者の着用や安全に自転車、車椅子に乗れることを可能にした。【解決手段】雨具に肩当てで支える、頭部との間に空間を作ったドーム型のヘッド部を備え、肩当て背後のゴム帯を前の持ち手に嵌め事で雨具の着用を安定させ、風雨時、顔が気分よく楽に動き、ヘッドが風雨に耐えることが出来、安全に自転車、車椅子に乗れる。【選択図】  図４
2005082951.tif 000002
【特許請求の範囲】
【請求項１】
図１の、人体接触部に緩衝材を使用した左右肩当て１、２の人体前、背後両側から立ち上がる、人の頭部の外郭より大きく模られた３、４、５、６の軽くて衝撃に強いプラスティック又はアルミ製のパイプあるいは棒を布又はビニールで覆った物を骨組とし、骨組５，６は４との接点、図２、５Ａ、６Ａで骨組み５、６他端を骨組み３へ向け、骨組み４に平行に弧を描く可動式とし、５、６の他先端は骨組３との接点で骨組３に沿って７，８のように下向きに曲げ、骨組３を覆う布又はビニールに沿わせて取り付けた図４、１４、１５の収納袋へ収め着脱自在とし、骨組全体は外側が図３，１２の透明ビニールシートでたるみなく覆われ、該透明ビニールシートは顔面に当たる部分、両耳に当たる部分を切り欠き、該切り欠き部の上部に張りのある透明の雨よけを取り付け、上半身に着用する防水性コート１３と１８の所で縫合され、上記顔面に当たる切り欠き部下部は顔正面中央で縦に、また防水性コートは正面中央で縦に、共に図３、１９のように左右に開き、１９が前方へ突き出す寸法を男女別に左右どちらか広く取り、人体正面中央でボタン、ファースナー、マジックのいずれかによる打ち合わせが出来、図１、９は図４、９のように上部先端が上記雨具を着脱時に手で握るため肩当てより離れており、また図１と図２の１０、１１のように左右の肩当て１、２の背後先端に先を輪にしたゴムの帯を取り付け、着用時ゴム帯を背中で交差させ、肩当て１につけたゴム帯１０の輪を右脇下から肩当て２前部取っ手９に上から嵌め、肩当て２につけたゴム帯１１の輪を左脇下から肩当て１前部取っ手９の上から嵌めることで、肩当て、ヘッド部、コートを安定させた雨具。
またコートは、防水性マント、両袖のついた防水性コートとズボン、コートとズボンが繋がっているデザインの物のいずれでも良く、生地はヘッド部と同一の物でなくても良い。またヘッド部を覆う防水性素材は、顔面の雨よけから上の頭全体、両耳より後ろ、頭から肩のコートにいたるまで防水性の物であるなら透明ビニールでなくても良い。
【請求項２】
請求項１の雨具を、図３、１８の所で縫合せず、ヘッド部を覆う防水性シートの裾を肩下まで伸ばし防水性コートとは別の物とし、コートは独立のコートとした雨具。
また防水性コートの形は、マント、両袖をつけたコートとズボン、該コートに防水性ズボンを一体化した物でもよい。
【請求項３】
請求項２の独立したヘッド部の骨組の外側に、虫、蚊、蜂を通さないメッシュ生地を張り、該骨組みと該生地がずれないよう繋ぎとめ、ヘッド部骨組みより下をフレアーに仕立て、虫刺され予防具として使用する。
【請求項４】
請求項１、請求項２の雨具を、ヘッド部、コートに防水性の生地の替わりにＵＶカットの生地を使用し、釣りなど長時間外で作業する為の日よけ用具とする。
【発明の詳細な説明】
【技術分野】
【０００１】  本発明は、中で頭が自由に動くドーム型のヘッドを持つ雨具に関するものである。
【背景技術】
【０００２】  雨用の帽子は、直接頭にかぶる物が多くヘアースタイルは崩れ、風にあたると頭からはずれ、雨が強く降ると帽子の縁が顔にあたり、視界をさえぎられたりした。傘は傘を持つため片手がふさがり、人ごみでの使用は骨の先端が人に当たりそうになり、風の強い時は使用しにくく、反り返って骨が折れてしまうこともある。自転車、車椅子に乗る人も不便を強いられているのではないかと思われる。
【特許文献１】実開昭５８−１５６２８号広報
【発明の開示】
【発明が解決しようとする課題】
【０００３】  雨具を着用したとき、ヘッド部が直接頭や顔に触れにくく、又風雨で頭から外れる事無く、骨の反り返りが無く、両手が空き、自転車、車椅子にのるには安全な雨具の提供にある。
【課題を解決するための手段】
【０００４】  図１のように人体接触部に緩衝材を入れた左右の肩当て１、２の前、背後両側から上に立ち上がる、人の頭部の外郭より大きく模られた３、４、５、６の軽く折れにくいプラスチックまたはアルミ製のパイプまたは棒を骨組みとし、該骨組みを図３、１２で示す透明ビニールのシートで外側からたるみなく覆い、人の頭が中で通常に前後左右に動いても前記骨組み及び外から覆われたビニールシートに当たらない程度の容量を持つドーム型にする。これで頭部の周りに空間が出来る。
左右の肩当てと立ち上がる３、４の骨組みは一体化したもの、又は肩当てと骨組みが別個となった物を肩当て部分で穴を開けつなぎ止めた物、接着剤その他の方法で形をとどめ、動かず外れない物とする。骨組み３、４、５、６全体は安全のため布かビニールで包む。
骨組５、６は骨組４との接点図２、５Ａ、６Ａで、骨組みを覆う布又はビニール同士を縫合または接着し、骨組み５，６他端を骨組み３へ向け骨組み４に平行に弧を描く可動式とし、他端先端は骨組３との接点で７、８のように骨組３と平行に下方へ折り曲げられ、上記７、８を図４、１４、１５の収納袋へ差し込む。尚、１４、１５、は骨組７、８の出し入れ口を上向きに骨組３を覆う布又ビニールに平行に沿って縫い付けられるか接着され骨組み７、８を出し入れ自在にする。これによって、ドーム型ヘッド部の組み立てと折りたたみが出来る。
尚、骨組み３、４を包む布、又はビニールと外側を覆うビニールシートは接触部を縫合または、接着する。
また左右肩当て背後の両先端には先端部を輪状にしたゴム帯を取り付け、両ゴム帯を背中で交差させ、右側のゴム端の輪は左脇下より左肩当に作られた前側の持ち手９に掛けられ、左側のゴム端の輪は右脇下より右肩当に作られた前側の持ち手９に掛けられ、これにより肩当て、ヘッド部、コートが安定する。【０００５】  図３の様に肩当てより上の骨組みを覆うビニールシートは顔面に当たる部分、左右の耳に当たる部分を切り欠き、該切り欠き部の上部にそれぞれ透明で張りのある雨よけをつける。骨組みを覆うビニールシートは肩に近いところ１８で、マント式の防水性コート１３と逢合される。しかし、前記のように縫合されず前記骨組みを覆うビニールシートの裾を広げて肩下まで下ろし、防水性コートとそれぞれ独立させた物としても良い。【０００６】  防水性コートは左右両側面に手を出し入れする図３、２０をつけ、裾幅を必要に応じ広くも狭くも出来るマント式の物、両袖のあるコート、コートとズボンが繋がっている物でも良い。上記骨組みを覆うビニールシートの顔面側切り欠き部のあごに当たる部分より下部と防水性コートの図３の１９部分は、縦中央で左右に開き、前方へ突き出す寸法を男女別に左右どちらかを広く取り体の前でボタン、マジック、又はファースナーで打ち合わせ出来るようにする。【０００７】  ヘッド部の骨組みを覆う透明ビニールシートは、顔面の上の雨よけより上から頭部全体、又両耳より後ろ全体は肩のマントにいたるまで、防水性のものなら透明ビニールでなくても良い。尚、防水性コートの生地は透明、不透明、又無地、柄物を問わない。
【発明の効果】
【０００８】  本発明の雨具は、ヘッド部の中で頭を通常に動かしても空間があるので雨具に触れることが少なく、帽子の縁が風雨で顔面にへばり付く気分の悪さや視界をさえぎられる事が無く、ヘアースタイルのおおきなくずれも無い。風雨が強くても飛ばされること無く、人ごみを歩いても他人を傷つける心配も無く、両手が空くので車椅子、自転車に乗るとき、荷物を持つとき都合が良いという利点があり、図１の骨組７，８を図４の１４、１５からはずせば平たく折りたたみが可能なので、持ち運びし易く、収納も場所をとらない。
【発明を実施するための最良の形態】
【０００９】  左右の肩当てから立ち上がるプラスチック又はアルミのパイプあるいは棒を骨組とし、ヘッド部を頭より大きく模るドーム型にすることで通常の頭の動きでは間に空間があるので、ヘッド部が顔や頭と直接当たらず、ヘアースタイルが崩れにくいので着用時気分が良く、透明ビニールで幅広く顔面から両耳まで覆うことで視界をさえぎられることが無い。また左右肩当て背後先端に付けられたゴム帯を背中で交差させ、先端の輪を両脇下より左右反対の肩当て前部に付けられた取っ手に掛ける事で、肩当て、ヘッド部、コートの着用が安定し、風圧にたえられ、両手が空くので自転車、車椅子に安全に乗ることが出来る。
また、ヘッド部とコートを別個の物にすることで、それまでに備わっていたコートを使うことが出来る。
また、独立させたヘッド部を覆う素材を、虫や蚊や蜂が入れないメッシュの生地にし、顔面、両耳のところを切り欠く事無くすっぽり全体を覆う事により、見通しの良い虫除け用防具として使用でき，また請求項１、請求項２で使用のビニールシートと防水性の生地をＵＶカットの生地にすることにより、外での作業の日除け用として使用できる。
【実施例】
【００１０】  図１、図２のように肩当て１，２は、人体接触部に緩衝材をいれ、両肩当て本体の前と後から上に向け、人の頭より大きく模った骨組み３，４を立ち上げる。該骨組みの左右の幅が頭を通常に動かしても骸骨組みに当たらないよう維持するため、該骨組頭上部前後に骨組５，６を儲ける。骨組５，６は４との接点５Ａ、６Ａを上下に可動式とし、他端７，８は図４の１４，１５の収納ケースへ収まり、また着脱可能とする。７，８が着脱出来ることにより使用後、７，８を１４，１５から外す事によりヘッド部を薄く折りたたむ事が可能であり、該雨具全体を持ち運び、及び収納を楽にすることが出来る
着用するにはヘッド部の７，８を１４，１５へ嵌め込み、ヘッド部を組み立て、前のボタン、ファスナー等をはずし、両肩当て前に設けられた持ち手９をそれぞれ両手で持ってヘッド部へ頭を入れながら肩当てを両肩に当て、肩当て後についているゴム帯を背中で交差させるように、両脇下からそれぞれ反対側のもち手９に、ゴム帯先端の輪を嵌める。このことにより肩当て、ヘッド部、コートが安定し、風雨に耐えられる。ヘッド部を模る骨組み全ては、布かビニールで包まれるため、万が一折れる事があっても折れ目が保護され安全である。
また、ヘッド部の骨組みが人の頭部より大きく模られたドーム型なので、頭、顔面とヘッド部との間に空間が作られており、通常に頭を動かしてもヘッド部に当たらず、ヘアースタイルが崩れにくく、外の見通しが良く両手が空き、自転車、車椅子に乗りやすい利点がある。【００１１】  請求項２のようにヘッド部と下のコートを別の物にすることにより、ヘッド部のみを雨具として使うことが出来、コートはそれまでに備えていた物を着用出来る。【００１２】  また、請求項３のように独立したヘッド部の外側を，虫、蚊や蜂が入らないメッシュの生地で顔面、両耳に当たる所は切り欠く事無くすっぽり覆い、尚、メッシュ生地を肩下まで丈を伸ばし、骨組から下をフレアーにすれば、見通しの良い虫除けとして使え、メッシュ生地の裾がフレアーになっているから着用時楽である。【００１３】  また、請求項４のように、請求項１、請求項２で使用されている防水性のビニールや生地を、ＵＶカットの生地に替えることにより、釣りなど長時間外で作業をするための日よけ用具となる。
【産業上の利用可能性】
【００１４】  着用時ヘッド部に顔、頭との間に空間が出来ているので、直接顔、頭にヘッド部が当たりにくく顔の動きが楽であり、肩でヘッド部を支えることで両手をスムースに動かせるため、自転車、車椅子にのるには都合よく、身障者の方の雨具に良いと思われる。また、ヘッド部にメッシュ生地を使用し防虫用具に、ＵＶカット生地を使用し日除け用具にと雨具以外の用途に利用可能である。
【図面の簡単な説明】
【００１５】
【図１】雨具ヘッド部の骨組み前面斜視図である。
【図２】雨具ヘッド部の骨組み背面斜視図である。
【図３】雨具前面斜視図である。
【図４】雨具着用時の左側面内部構造図である。
【符号の説明】
【００１６】  １・・・左肩当て  ２・・・右肩当て  ３、４、５、６・・・骨組み  ５Ａ・・・骨組み５と骨組み４の接点  ６Ａ・・・骨組み６と骨組み４の接点  ７・・・骨組み５の他端  ８・・・骨組み６の他端  ９・・・左右肩当て持ち手  １０・・・肩当て１に取り付けたゴム帯  １１・・・肩当て２に取り付けたゴム帯  １２・・・防水性ビニールシート  １３・・・コート  １４・・・骨組み５他端７の収納袋  １５・・・骨組み６他端８の収納袋  １６・・・雨よけ  １７・・・雨よけ  １８・・・ヘッド部防水性ビニールとコートとの縫合部  １９・・・雨具前面打ち合わせ左右端  ２０・・・マント式コート両手出し入れ口
【図１】
2005082951.tif 000003
【図２】
2005082951.tif 000004
【図３】
2005082951.tif 000005
【図４】
2005082951.tif 000006